(57)【特許請求の範囲】
【請求項１】
操作者の手により保持されて操作されるコンピュータ装置のポインティングデバイスとしてのマウス装置において、
マウス筐体の内部に回転駆動されるファンを設け、
前記マウス筐体の少なくとも操作者の手のひら面が対峙する前記マウス筐体上面に、前記ファンの回転によって生じる気流が前記マウス筐体の内外に通過可能な通気孔を設け、操作者による前記マウス筐体の保持を検知する検知手段を設けるとともに、前記検知手段の検知に応じて前記ファンを駆動制御するファン駆動制御手段を設けたことを特徴とするマウス装置。
【請求項２】
前記検知手段は、操作者の前記マウス筐体への接触を検知する接触センサであることを特徴とする請求項１記載のマウス装置。
【請求項３】
前記検知手段は、操作者による前記マウス筐体の保持によって前記マウス筐体の環境の変化を検知する環境センサであることを特徴とする請求項１記載のマウス装置。
【請求項４】
前記ファン駆動制御手段は、前記検知手段により操作者の保持が検知されない状態が所定時間続いたときに前記ファンの駆動を停止する制御を行うことを特徴とする請求項１乃至請求項３のいずれかに記載のマウス装置。
【請求項５】
前記ファンの駆動用の電池電源を前記マウス筐体内に備えることを特徴とする請求項１乃至請求項４のいずれかに記載のマウス装置。
【請求項６】
前記ファンの駆動用の電源がマウスケーブルを介して接続される前記コンピュータ装置から供給されることを特徴とする請求項１乃至請求項４のいずれかに記載のマウス装置。
【発明の詳細な説明】
【０００１】
【発明の属する技術分野】
本発明は、コンピュータ装置のポインティングデバイスとして用いられるマウス装置に関する。
【０００２】
【従来の技術】
コンピュータ装置のポインティングデバイスとして、マウス装置が広く普及している。このマウス装置の筐体上面は操作者の手のひらがしっくり馴染むような曲面で構成されており、操作者は手のひらを前記筐体上面に載せた状態でポインティング操作を行うことから、長時間のマウス操作によって、手指や手のひらなどが発汗して蒸れて不快感を生じることがある。
【０００３】
従来、このような手指などの発汗を抑えるものとして、特開平１０−１３３８１２号の公報に記載のマウス装置が知られている。このマウス装置では、マウス筐体上面に複数個の突起部を設けることにより、操作者の手のひらがマウス筐体に密着することを防止して、その発汗を抑えるようにしている。
【０００４】
【発明が解決しようとする課題】
前記公報のマウス装置では、突起部を設けることでマウス筐体上面での密着保持が避けられてある程度の発汗の抑止効果が得られるものの、マウス筐体の上面は凹凸面に形成されるため、環境温度が高かったり操作が長時間になると、突起部間の隙間部分に手のひらによって加温され、あるいは、加湿された空気溜りが生じて発汗を充分に抑えることができないという問題がある。
【０００５】
また、前記マウス装置では、マウス筐体に突起部が形成されることから、操作者によっては、マウス筐体を保持する手指の触感に違和感を覚えることもある。
【０００６】
そこで、本発明は、操作時における手指の発汗防止効果に優れたマウス装置を提供することを目的とする。
【０００７】
【課題を解決するための手段】
本発明は、操作者の手により保持されて操作されるコンピュータ装置のポインティングデバイスとしてのマウス装置において、マウス筐体の内部に回転駆動されるファンを設け、前記マウス筐体の少なくとも操作者の手のひら面が対峙する前記マウス筐体上面に、前記ファンの回転によって生じる気流が前記マウス筐体の内外に通過可能な通気孔を設け、操作者による前記マウス筐体の保持を検知する検知手段を設けるとともに、前記検知手段の検知に応じて前記ファンを駆動制御するファン駆動制御手段を設けたことを特徴とする。
【０００８】
このような構成によれば、操作者がマウス筐体を保持したときにマウス筐体内で回転するファンによって生じる気流がマウス筐体に設けられた通気孔を通じて筐体内外を移動してマウス筐体面に強制的な空気流が生じる。これにより、マウス筐体面とそこに載せた操作者の手指や手のひらとの間の通気がよくなって、温度や湿度の高い発汗を促進する籠った空気が滞ることがなくなり、発汗を抑えることができる。
【００１０】
また、前記検知手段としては、操作者の前記マウス筐体への接触を検知する接触センサ、又は、操作者による前記マウス筐体の保持によって前記マウス筐体の環境の変化を検知する環境センサが用いられる。
【００１１】
また、前記記検知手段により操作者の保持が検知されない状態が所定時間経過続いたときに前記ファンの駆動を停止する制御を行うことで、操作者がマウス筐体を保持していない場合にファンの駆動を自動的に停止して、電力の無駄な消費を抑えることができる。
【００１４】
また、前記ファンの駆動用の電池電源を前記マウス筐体内に備えることで、外部からの電源供給を必要とせずにファンを回転駆動することができる。
【００１５】
また、前記ファンの駆動用の電源をマウスケーブルを介して接続される前記コンピュータ装置から供給することで、マウス筐体内に電源を必要とせずにファンを回転駆動することができる。
【００１６】
【発明の実施の形態】
以下、図面を参照して本発明の一実施形態を説明する。
【００１７】
図１は本発明の一実施形態に係るマウス装置の外観構成を示す斜視図、図２はそのマウス装置の内部構成を示す側面図である。
【００１８】
図１及び図２に示すように、マウス装置１０のマウス筐体１１の上面１１ａは、操作者の手１９に馴染むような曲面になっており、手のひらを載せた状態で指が当たる部分に、図示せぬ画面上のマウスポインタが指示する対象を選択したり、所定の処理を実行するための左ボタン１２及び右ボタン１３が設けられている。また、マウス筐体１１の内部には、マウス装置１０を手で動かしたときの左右方向及び前後方向の移動量を検出するＸ軸エンコーダ（図示せず）及びＹ軸エンコーダ（図示せず）が内蔵されている。マウス筐体１１の底面１１ｃには、これらのエンコーダにマウス装置１０の移動量を伝達するボール１４が開口部１１ｄから突出して設けられている。これらＸ軸エンコーダ、Ｙ軸エンコーダ、ボール１４によって移動量検出手段が構成される。
【００１９】
マウス装置では、前記移動量検出手段によって検出されたマウス装置１０の移動量に基づいてコンピュータ画面上でマウスポインタを左右・上下方向に移動させる信号が発生され、左ボタン及び右ボタンの操作信号とともにマウスケーブル１５を介して不図示のコンピュータ装置に送られる。
【００２０】
なお、本実施形態では、ＵＳＢ（Universal Serial Bus）タイプのマウスを想定しており、前記マウスケーブル１５はコンピュータ装置に装備されたＵＳＢコネクタに接続される。また、図２の図中１６は回路基板であり、その回路基板１６上にマウス装置１０の回路部品が実装される。
【００２１】
ここで、前記マウス筐体１１内には送風用のファン装置１７が設けられ、マウス筐体１１の上面１１ａの少なくとも操作者の手のひら面が対峙する部分に複数個の通気孔１８ａが穿設され、マウス筐体１１の側面１１ｂにも複数個の通気孔１８ｂが穿設されている。通気孔１８ａは、マウス筐体１１の上面１１ａに加えてマウス筐体１１の上部の側面などに設けても良い。
【００２２】
前記ファン装置１７（以下、単にファンともいう。）はファンモータとそのファンモータの駆動により回転するファンとを備えている。このファン装置１７は吹き出し用のファンであり、ファン装置１７の駆動時に、マウス筐体１１の側面１１ｂの通気孔（吸込孔）１８ｂを通して筐体外から筐体内に空気を吸い込み、マウス筐体１１の上面１１ａに設けられた通気孔（吹出孔）１８ａから筐体外に空気を吹き出すものである。図２の矢印Ａは、ファン装置１７によって生じる気流を示すものであり、このような気流を生じさせるべく、ファン装置１７のファンモータの回転方向とファンの形状が設定されている。
【００２３】
図３は前記マウス装置１０に備えられた電子回路の機能構成を示すブロック図である。
【００２４】
本実施形態におけるマウス装置１０はＵＳＢタイプのマウスであり、上述したようにマウスケーブル１５を介してコンピュータ装置（ＰＣ）２０に装備されたＵＳＢコネクタに接続される。コンピュータ装置２０はパソコン等の汎用のコンピュータであり、マウス装置１０のインタフェース回路（Ｉ／Ｆ）２１を介して送信されるマウスポインタを移動制御するための信号やボタンの操作信号を受けて、画面上のマウスポインタの移動処理やマウスポインタで指示される対象の選択処理や実行処理を行う。
【００２５】
図３に示すように、マウス装置１０にはコントローラ２２が設けられている。このコントローラ２２は、例えばＲＯＭやＲＡＭを備えた１チップのマイクロプロセッサによって構成され、ポインティングデバイスに関する制御の他に、ここでは第１のタイマ２３ａ及び第２のタイマ２３ｂを備えて前記ファン装置１７の駆動制御を行う。
【００２６】
前記コントローラ２２には、ポインティングデバイスとしての構成部品であるボール１４のＸ軸方向及びＹ軸方向の回転を検知するための１組のＸ軸・Ｙ軸エンコーダ２４，２５と、マウス筐体１１の上面１１ａに設けられた操作用のボタン１２，１３に連動したスイッチ２６，２７が接続される。
【００２７】
さらに、コントローラ２２には、操作者の接触や環境の変化を検知してマウス装置の使用に対応してファン１７を駆動するためのセンサ２８、ファン機能のＯＮ／ＯＦＦを切り換えるための機能ＯＮ／ＯＦＦスイッチ２９、ファン１７の回転状態を表示するインジケータ３０、ファン１７を駆動するためのドライバ３１、そして電源回路３２が接続される。
【００２８】
センサ２８としては、マウス装置１０に対する操作者の手指の接触を検知する接触センサが用いられる。これは操作者がマウス装置１０を保持したときに手指によって押圧されることで動作するスイッチでも良い。また、マウス装置１０の操作時に、それを保持する操作者の手指によってマウス筐体１１の外表面の温度が上昇するなどの変化が生じ、あるいは操作者の手指が汗ばむことによってマウス筐体１１の外表面近部の雰囲気湿度が変化を生じるが、前記センサ２８として、マウス筐体１１の外表面の温度やその雰囲気の湿度を検知する温度センサや湿度センサなどの環境センサを用いることができる。これらセンサは、マウス筐体１１の外表面位置などに設置される。
【００２９】
また、前記ファン機能のＯＮ／ＯＦＦスイッチ２９は、マウス筐体１１の外側面などの操作しやすい位置に設けられ、操作者が必要に応じて操作することで、ファン機能を必要としない場合にＯＦＦとしておく。なお、ファン装置１７は前記センサ２８によって始動し、後述のコントローラ２２によって駆動制御されるものであるが、前記センサ２８を設けずに、またコントローラ２２による駆動制御を行うことなく、単に操作者のスイッチ２９の手動操作だけで、ファン装置１７の駆動をオン・オフしても良い。
【００３０】
前記インジケータ３０は、ＬＥＤを備えてそのＬＥＤの点灯によりファン１７が回転している状態を表示する。
【００３１】
また、ドライバ３１は、コントローラ２２から出力される駆動信号によりファン１７のモータを回転駆動する。電源回路３２は、コンピュータ装置２０からマウスケーブル１５を介して供給される電源電圧をコントローラ２２及びドライバ３１のそれぞれに必要な電圧に変換してコントローラ２２及びドライバ３１に供給する。
【００３２】
次に、前記図３の構成にて実現されるファン１７の駆動制御について説明する。なお、機能ＯＮ／ＯＦＦスイッチ２９によりファン機能はＯＮ状態に設定されているとする。
【００３３】
マウス装置１０のマウス筐体１１に内蔵されたファン１７を回転駆動すると、図２の矢印Ａ方向の気流が発生し、マウス筐体１１の上面１１ａに設けられた通気孔１８ａから外に向けて空気が吹き出す。通気孔１８ａから吹き出す風はマウス筐体１１の上面１１ａを覆う操作者の手１９に直接当たってその手指や手のひら面を冷やすとともに、湿気を吹き飛ばし、また、マウス筐体１１の上面１１ａとこれを握る操作者の手１９との間に形成される空間部分の通気がよく行われて空気を強制的に入れ換えて、操作者の手のひらの発汗を抑えることができる。
【００３４】
ところで、操作者がマウス装置１０を使用していないときにファン１７のモータを回転させておくのは無駄である。そこで、センサ２８により操作者がマウス装置１０を保持しているか否かを検知し、保持しているときにファン１７を駆動し、保持していないときにはその駆動を停止することが好ましい。
【００３５】
図４は操作者がマウス装置を保持しているときに対応して、ファン装置１７を駆動するようにした、ファン装置１７の駆動制御を示すフローチャートである。
【００３６】
例えばコンピュータ装置２０の電源が投入され、マウス装置１０がコンピュータ装置２０から電源の供給を受けて動作可能状態になったときに、センサ２８により操作者がマウス装置１０のマウス筐体１１を保持しているか否かが検知される（ステップＡ１）。前記センサ２８としては、操作者がマウス装置１０のマウス筐体１１に触れたことを検知する接触センサ、又は、操作者がマウス装置１０のマウス筐体１１を保持したときの温度や湿度の変化を検知する環境センサが用いられる。
【００３７】
接触センサの場合には、操作者がマウス装置１０のマウス筐体１１に触れたときに、直ぐにその検知信号がコントローラ２２に出力されるが、環境センサの場合には、操作者がマウス装置１０のマウス筐体１１を保持したときの温度や湿度の変化を検知するため、その変化が現れるまでに多少の時間があり、直ぐには検知状態にはならない。この場合、温度センサや湿度センサには適値の温度や湿度が閾値として設定され、温度・湿度センサで検知される温・湿度が閾値を越えたときに検知信号がコントローラ２２に出力される。
【００３８】
このようなセンサ２８により操作者がマウス筐体１１を保持している状態が検知されると（ステップＡ１のＹｅｓ）、ファン１７が回転駆動され、その際にインジケータ３０によりファン１７が回転駆動されていることが表示される（ステップＡ２）。
【００３９】
また、ファン１７が回転駆動されたときに、予め設定されたＴ１の時間を計時するべく第１のタイマ２３ａが起動される（ステップＡ３）。前記Ｔ１はセンサ２８を監視するための間隔時間であり、例えば５秒に設定されている。ファン１７を回転駆動してからこの時間Ｔ１が経過すると（ステップＡ４のＹｅｓ）、第１のタイマ２３ａがリセットされて（ステップＡ５）、再びセンサ２８の状態がチェックされる（ステップＡ５→Ａ１）。そして、センサ２８により操作者がマウス筐体１１を保持している状態が検知されていれば、引き続きファン１７が回転駆動される（ステップＡ１→Ａ２）。
【００４０】
一方、センサ２８の状態をチェックしたときに、センサ２８が非検知状態であった場合には（ステップＡ１のＮｏ）、以下のような処理が実行される。なお、センサ２８の非検知状態とは、接触センサの場合には操作者がマウス筐体１１に触れていない状態である。また、温度センサや湿度センサの場合には、検知される温・湿度が閾値以下になった状態である。
【００４１】
センサ２８が非検知状態であった場合には、まず、ファン１７が駆動中か否かが判断される（ステップＡ６）。ファン１７が駆動中でなければ、引き続きセンサ２８の監視状態となる（ステップＡ６→Ａ１）。また、ファン１７が駆動中であった場合には、タイマ計時中であるか否かが判断される（ステップＡ６→Ａ７）。そして、タイマ計時中でなければ、予め設定されたＴ２の時間を計時するべく第２のタイマ２３ｂが起動される（ステップＡ８）。前記Ｔ２はファン１７をオートパワーオフするための時間であり、例えば５分程度に設定されている。この間にセンサ２８が検知状態とならずに、前記Ｔ２の時間が経過した場合には（ステップＡ９のＹｅｓ）、ファン１７の駆動が停止され、その際にインジケータ３０による表示も消える（ステップＡ１０）。また、第２のタイマ２３ｂがリセットされて（ステップＡ１１）、再びセンサ２８の監視状態となる（ステップＡ１１→Ａ１）。
【００４２】
このように、所定間隔毎にセンサ２８をチェックして、操作者がマウス筐体１１を保持している状態が確認された場合にはファン１７を回転駆動し、操作者がマウス装置１０のマウス筐体１１を保持していない状態が所定時間続いた場合には所定時間後にファン１７の回転駆動を停止するといった制御を行うことで、操作者がマウス装置１０を使用しているときに対応させてファン１７を回転駆動することができ、その結果、電力が無駄に消費されることを防ぐことができる。
【００４３】
ところで、操作者がマウス装置１０を操作しているときには、ボール１４の回転を検知しているＸ軸エンコーダ２４及びＹ軸エンコーダ２５からの信号や、マウス筐体１１の上面１１ａに設けられたボタン１２，１３の押下に伴うスイッチ２６，２７からの信号がコントローラ２２に入力されている。したがって、これらの信号が入力されている場合に、マウス装置１０が操作者のポインティング操作により作動しているものと判断して、ファン１７を回転駆動するような制御も可能である。以下にそのときの駆動制御について説明する。
【００４４】
図５はファン装置１７の他の駆動制御を示すフローチャートである。
【００４５】
例えばコンピュータ装置２０の電源が投入され、マウス装置１０がコンピュータ装置２０から電源の供給を受けて動作可能状態になったときに、エンコーダ２４，２５の信号又はスイッチ２６，２７の信号の有無により、マウス装置１０が操作者のポインティング操作により作動している状態にあるか否かが識別される（ステップＢ１）。ポインティング操作によって作動している状態では、Ｘ軸エンコーダ２４やＹ軸エンコーダ２５からパルスが発生し、ボタン１２，１３の操作信号が発生する。マウス装置１０が操作者のポインティング操作により作動している状態にあると識別された場合には（ステップＢ１のＹｅｓ）、ファン１７が回転駆動され、その際にインジケータ３０によりファン１７が回転駆動されていることが表示される（ステップＢ２）。
【００４６】
また、ファン１７が回転駆動されたときに、前記第１のタイマ２３ａの起動により、予め設定されたＴ１の計時が開始される（ステップＢ３）。時間Ｔ１の経過後（ステップＢ４のＹｅｓ）、第１のタイマ２３ａがリセットされて（ステップＢ５）、再びマウス装置１０が操作者のポインティング操作により作動している状態にあるか否かが識別される（ステップＢ５→Ｂ１）。そして、エンコーダ２４，２５の信号又はスイッチ２６，２７の信号の入力があり、マウス装置１０が操作者のポインティング操作により作動している状態にあると識別される場合には、引き続きファン１７が回転駆動される（ステップＢ１→Ｂ２）。
【００４７】
一方、エンコーダ２４，２５の信号又はスイッチ２６，２７の信号の入力がなく、マウス装置１０が操作者のポインティング操作により作動していない状態と識別される場合には（ステップＢ１のＮｏ）、以下のような処理が実行される。
【００４８】
すなわち、まず、ファン１７が駆動中か否かが判断され（ステップＢ６）、ファン１７が駆動中でなければ、何もせずに引き続きセンサ２８の監視状態となる（ステップＢ６→Ｂ１）。また、ファン１７が駆動中であった場合には、タイマ計時中であるか否かが判断され（ステップＢ６→Ｂ７）、タイマ計時中でなければ、前記Ｔ２の時間を計時するべく第２のタイマ２３ｂが起動される（ステップＢ８）。この間にエンコーダ２４，２５の信号又はスイッチ２６，２７の信号の入力がなく、前記Ｔ２の時間が経過した場合には（ステップＢ９のＹｅｓ）、ファン１７の駆動が停止され、その際にインジケータ３０による表示も消える（ステップＢ１０）。また、第２のタイマ２３ｂがリセットされて（ステップＢ１１）、再びセンサ２８の監視状態となる（ステップＢ１１→Ｂ１）。
【００４９】
このように、所定間隔毎にマウス装置１０が操作者のポインティング操作により作動しているか否かをチェックして、作動している状態が確認された場合にはファン１７を回転駆動し、作動していない状態が所定時間続いた場合には所定時間後にファン１７の回転駆動を停止するといった制御を行うことで、前記図４の駆動制御と同様に、操作者がマウス装置１０を使用しているときのみファン１７を回転駆動することができ、その結果、電力が無駄に消費されることを防ぐことができる。さらに、前記センサ２８のような特定のセンサ類を必要とせずにファン１７の駆動制御できるといった利点もある。
【００５０】
また、前記図４又は図５の駆動制御によりファン１７が回転駆動された状態では、ファン１７の回転により生じる気流がマウス筐体１１の上面１１ａに設けられた通気孔１８ａを通じて流れる。したがって、マウス筐体１１の上面１１ａとそこに載せた操作者の手のひら面との間に空気が滞留することを防いで、操作者の手のひらの発汗を抑えることができ、さらに、通気孔１８ａを通じて操作者の手のひらに風が吹き付けられるため、操作者の手のひらを乾燥させておくことができる。これにより、たとえ夏場であっても、手のひらに汗をかくことなくポインティング操作を行うことができるとともに、汗により手が滑って操作を誤るとったようなこともない。
【００５１】
また、ファン１７の回転によってマウス筐体１１内が換気されるため、マウス筐体１１内の温度や湿気の上昇を抑えるといった換気効果もある。さらに、マウス筐体１１内に芳香剤を入れておけば、送風による芳香効果もある。
【００５２】
なお、前記実施形態では、ファン１７の回転駆動により図２の矢印Ａ方向の気流を発生させるようにしたが、ファン１７を構成するファンモータの回転方向を逆にするとともにファンを取り替えて、前記矢印Ａ方向とは逆方向の気流を発生させることも可能である。この場合には、マウス筐体１１の上面１１ａに設けられた通気孔１８ａが吸込孔、マウス筐体１１の側面１１ｂに設けられた通気孔１８ｂが吹出孔となる。このように、逆方向の気流を発生させる構成とした場合でも、マウス筐体１１の上面１１ａに載せた操作者の手のひら付近の空気の流れを良くして、操作者の手のひらの発汗を抑えることができる。また、マウス筐体１１の上面１１ａに通気孔１８ａを設けるだけで、従来装置のように保持した際に違和感を感じさせるような突起部などが形成されないため、操作時の触感も良好である。
【００５３】
また、前記実施形態では、マウス装置１０としてＵＳＢタイプのマウスを想定し、コンピュータ装置２０からマウスケーブル１５を介してファン駆動用の電源を供給する構成としたが、マウス筐体１１内にファン駆動用の電池電源を設けても良い。
【００５４】
また、前記実施形態では、ファン１７の制御機能をマウス装置側のコントローラ２２に持たせたが、例えばセンサ２８の検知信号をコンピュータ装置２０側に送り、コンピュータ装置２０内のコントローラ（マウスドライバ）にて、ファン１７の制御信号を生成してマウス装置１０に出力することにより、ファン１７を制御するような構成も可能である。同様に、コンピュータ装置２０側にてエンコーダ２４，２５やスイッチ２６，２７の各信号に基づいてファン１７の制御信号を生成してマウス装置１０に出力し、ファン１７を制御するような構成も可能である。
【００５５】
【発明の効果】
以上詳記したように本発明によれば、マウス筐体内にファンを設け、少なくとも操作者の手のひら面が対峙する前記マウス筐体の上面に前記ファンの回転によって生じる気流が通過可能な通気孔を設けたことで、マウス筐体の上面とそこにに載せた操作者の手指や手のひら面との間に強制的に空気の流れを生じさせ通気をよくして空気が滞留することを防いで、操作者の手のひらの発汗を抑えることができる。
【００５６】
また、操作者が前記マウス筐体を保持している状態のときに対応して前記ファンを回転させるような制御を行うことで、電力の無駄な消費を抑えることができる。
【図面の簡単な説明】
【図１】本発明の一実施形態に係るマウス装置の外観構成を示す斜視図。
【図２】前記マウス装置の内部構成を示す側面図。
【図３】前記マウス装置に備えられた電子回路の機能構成を示すブロック図。
【図４】前記マウス装置の筐体内に設けられるファン装置の駆動制御を示すフローチャート。
【図５】前記マウス装置の筐体内に設けられるファン装置の他の駆動制御を示すフローチャート。
【符号の説明】
１０…マウス装置
１１…マウス筐体
１１ａ…上面
１１ｂ…側面
１１ｃ…底面
１１ｄ…開口部
１２，１３…ボタン
１４…ボール
１５…マウスケーブル
１６…回路基板
１７…ファン装置（ファン）
１８ａ，１８ｂ…通気孔
１９…操作者の手
２０…コンピュータ装置
２１…インタフェース回路
２２…コントローラ
２３ａ…第１のタイマ
２３ｂ…第２のタイマ
２４…Ｘ軸エンコーダ
２５…Ｙ軸エンコーダ
２８…センサ
２９…機能ＯＮ／ＯＦＦスイッチ
３０…インジケータ
３１…ドライバ
３２…電源回路
【図１】
0003925036.tif 000002
【図２】
0003925036.tif 000003
【図３】
0003925036.tif 000004
【図４】
0003925036.tif 000005
【図５】
0003925036.tif 000006